(57)【要約】【課題】デルタナブラ配置の表示装置において画質を向上する。【解決手段】表示装置は、各第１種表示画素において、緑副画素に対して与える輝度値を所定方法で決定し、二つの赤副画素それぞれに対して与える輝度値を所定方法で一つの赤副画素に対して決定される輝度値よりも低減された輝度値に決定し、二つの青副画素それぞれに対して与える輝度値を所定方法で一つの青副画素に対して決定される輝度値より低減した輝度値に決定し、各第２種表示画素において、赤副画素及び青副画素それぞれに対して与える輝度値を記所定方法で決定し、二つの緑副画素それぞれに対して与える輝度値を所定方法で一つの緑副画素に対して決定される輝度値よりも低減された輝度値に決定する。【選択図】図６
2020038314.tif 000002
【特許請求の範囲】
【請求項１】
表示パネルと、
前記表示パネルを制御する制御装置と、
を含む表示装置であって、
前記表示パネルの表示領域は、第１軸に沿って延びる複数の副画素行で構成され、
前記複数の副画素行は、交互に配列された、赤副画素からなる赤副画素行と、青副画素からなる青副画素行と、緑副画素からなる緑副画素行と、で構成され、
前記複数の副画素行において、隣接する副画素行は、前記第１軸に沿ってずれており、
前記表示領域は、前記第１軸に垂直な第２軸に沿って延びる（２ｎ＋１）個の副画素列で構成され、前記ｎは自然数であり、
前記複数の副画素列のそれぞれは、交互に配列された、赤副画素、緑副画素及び青副画素で構成され、
前記制御装置は、前記表示領域における第１種表示画素及び第２種表示画素それぞれの輝度データを、映像フレームに含まれるフレーム画素の輝度データから決定し、
前記第１種表示画素のそれぞれは、
一つの緑副画素と、
前記一つの緑副画素を含む緑副画素行に隣接する赤副画素行に含まれ、それぞれ前記一つの緑副画素を含む副画素列に隣接する副画素列に含まれる二つの赤副画素と、
前記一つの緑副画素を含む緑副画素行に隣接する青副画素行に含まれ、それぞれ前記一つの緑副画素を含む副画素列に隣接する前記副画素列に含まれる二つの青副画素と、で構成され、
前記第２種表示画素のそれぞれは、
一つの緑副画素行において隣接する二つの緑副画素と、
前記二つの緑副画素をそれぞれ含む副画素列の間の副画素列及び前記一つの緑副画素行に隣接する赤副画素行に含まれる、赤副画素と、
前記二つの緑副画素をそれぞれ含む前記副画素列の間の前記副画素列及び前記一つの緑副画素行に隣接する青副画素行に含まれる、青副画素と、で構成され、
前記表示領域において、前記第１軸に沿って延びる前記第１種表示画素からなる行と前記第２種表示画素からなる行とが、前記第２軸に沿って交互に配列され、
前記第１種表示画素を含む行それぞれにおいて、隣接する第１種表示画素は赤副画素及び青副画素を共有し、緑副画素は各第１種表示画素に占有され、
前記第２種表示画素を含む行それぞれにおいて、隣接する第２種表示画素は緑副画素を共有し、赤副画素及び青副画素は各第２種表示画素に占有され、
前記制御装置は、
各第１種表示画素の緑副画素に対して対応する第１フレーム画素から与える輝度値を、前記第１フレーム画素から所定方法で決定し、
各第１種表示画素の二つの赤副画素それぞれに対して前記第１フレーム画素から与える輝度値を、前記第１フレーム画素から前記所定方法で一つの赤副画素に対して決定される輝度値よりも低減された輝度値に決定し、
各第１種表示画素の二つの青副画素それぞれに対して前記第１フレーム画素から与える輝度値を、前記第１フレーム画素から前記所定方法で一つの青副画素に対して決定される輝度値より低減した輝度値に決定し、
各第２種表示画素の赤副画素及び青副画素それぞれに対して対応する第２フレーム画素から与える輝度値を、前記第２フレーム画素から前記所定方法で決定し、
各第２種表示画素の二つの緑副画素それぞれに対して前記第２フレーム画素から与える輝度値を、前記第２フレーム画素から前記所定方法で一つの緑副画素に対して決定される輝度値よりも低減された輝度値に決定する、
表示装置。
【請求項２】
請求項１に記載の表示装置であって、
前記制御装置は、
隣接する第１種表示画素に共有される赤副画素及び青副画素それぞれに与える輝度値を、前記隣接する第１種表示画素の双方において与えられる輝度値に基づき決定し、
隣接する第２種表示画素に共有される緑副画素それぞれに与える輝度値を、前記隣接する第２種表示画素の双方において与えられる輝度値に基づき決定する、
表示装置。
【請求項３】
請求項２に記載の表示装置であって、
前記制御装置は、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
各第２種表示画素の二つの緑副画素それぞれに対して前記第２フレーム画素から与える輝度値を、前記所定方法で一つの緑副画素に対して与える輝度値の半分の輝度値に決定する、
表示装置。
【請求項４】
請求項２に記載の表示装置であって、
前記制御装置は、
前記第１軸に沿って延びる複数の連続して点灯した第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定する、
表示装置。
【請求項５】
請求項２に記載の表示装置であって、
前記制御装置は、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定し、
前記他の緑副画素に対して前記第２フレーム画素から与える輝度値を、前記所定方法で一つの緑副画素に対して与える輝度値の半分の輝度値に決定し、
前記表示ラインにおける前記端第２種表示画素より内側の各第２種表示画素の二つの緑副画素それぞれに対して前記第２フレーム画素から与える輝度値を、前記所定方法で一つの緑副画素に対して与える輝度値の半分の輝度値に決定する、
表示装置。
【請求項６】
表示装置の制御方法であって、
前記表示装置の表示領域は、第１軸に沿って延びる複数の副画素行で構成され、
前記複数の副画素行は、交互に配列された、赤副画素からなる赤副画素行と、青副画素からなる青副画素行と、緑副画素からなる緑副画素行と、で構成され、
前記複数の副画素行において、隣接する副画素行は、前記第１軸に沿ってずれており、
前記表示領域は、前記第１軸に垂直な第２軸に沿って延びる（２ｎ＋１）個の副画素列で構成され、前記ｎは自然数であり、
前記複数の副画素列のそれぞれは、交互に配列された、赤副画素、緑副画素及び青副画素で構成され、
前記表示領域における第１種表示画素のそれぞれは、
一つの緑副画素と、
前記一つの緑副画素を含む緑副画素行に隣接する赤副画素行に含まれ、それぞれ前記一つの緑副画素を含む副画素列に隣接する副画素列に含まれる二つの赤副画素と、
前記一つの緑副画素を含む緑副画素行に隣接する青副画素行に含まれ、それぞれ前記一つの緑副画素を含む副画素列に隣接する前記副画素列に含まれる二つの青副画素と、で構成され、
前記表示領域における第２種表示画素のそれぞれは、
一つの緑副画素行において隣接する二つの緑副画素と、
前記二つの緑副画素をそれぞれ含む副画素列の間の副画素列及び前記一つの緑副画素行に隣接する赤副画素行に含まれる、赤副画素と、
前記二つの緑副画素をそれぞれ含む前記副画素列の間の前記副画素列及び前記一つの緑副画素行に隣接する青副画素行に含まれる、青副画素と、で構成され、
前記表示領域において、前記第１軸に沿って延びる前記第１種表示画素からなる行と前記第２種表示画素からなる行とが、前記第２軸に沿って交互に配列され、
前記第１種表示画素からなる行それぞれにおいて、隣接する第１種表示画素は赤副画素及び青副画素を共有し、緑副画素は各第１種表示画素に占有され、
前記第２種表示画素からなる行それぞれにおいて、隣接する第２種表示画素は緑副画素を共有し、赤副画素及び青副画素は各第２種表示画素に占有され、
前記制御方法は、
各第１種表示画素の緑副画素に対して対応する第１フレーム画素から与える輝度値を、前記第１フレーム画素から所定方法で決定し、
各第１種表示画素の二つの赤副画素それぞれに対して前記第１フレーム画素から与える輝度値を、前記第１フレーム画素から前記所定方法で一つの赤副画素に対して決定される輝度値よりも低減された輝度値に決定し、
各第１種表示画素の二つの青副画素それぞれに対して前記第１フレーム画素から与える輝度値を、前記第１フレーム画素から前記所定方法で一つの青副画素に対して決定される輝度値より低減した輝度値に決定し、
各第２種表示画素の赤副画素及び青副画素それぞれに対して対応する第２フレーム画素から与える輝度値を、前記第２フレーム画素から前記所定方法で決定し、
各第２種表示画素の二つの緑副画素それぞれに対して前記第２フレーム画素から与える輝度値を、前記第２フレーム画素から前記所定方法で一つの緑副画素に対して決定される輝度値よりも低減された輝度値に決定する、
制御方法。
【請求項７】
請求項６に記載の制御方法であって、
隣接する第１種表示画素に共有される赤副画素及び青副画素それぞれに与える輝度値を、前記隣接する第１種表示画素の双方において与えられる輝度値に基づき決定し、
隣接する第２種表示画素に共有される緑副画素それぞれに与える輝度値を、前記隣接する第２種表示画素の双方において与えられる輝度値に基づき決定する、
制御方法。
【請求項８】
請求項７に記載の制御方法であって、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
各第２種表示画素の二つの緑副画素それぞれに対して前記第２フレーム画素から与える輝度値を、前記所定方法で一つの緑副画素に対して与える輝度値の半分の輝度値に決定する、
制御方法。
【請求項９】
請求項７に記載の制御方法であって、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定する、
制御方法。
【請求項１０】
請求項７に記載の制御方法であって、
各第１種表示画素の二つの赤副画素それぞれに対して前記第１フレーム画素から与える輝度値を、前記所定方法で一つの赤副画素に対して与える輝度値の半分の輝度値に決定し、
各第１種表示画素の二つの青副画素それぞれに対して前記第１フレーム画素から与える輝度値を、前記所定方法で一つの青副画素に対して与える輝度値の半分の輝度値に決定し、
前記第１軸に沿って延びる点灯された複数の第２種表示画素からなる表示ラインの各端に位置する端第２種表示画素において、前記表示ラインの端に位置する緑副画素に前記第２フレーム画素から与える輝度値を、前記端第２種表示画素内の他の緑副画素に前記第２フレーム画素から与える輝度値よりも低い輝度値に決定し、
前記他の緑副画素に対して前記第２フレーム画素から与える輝度値を、前記所定方法で一つの緑副画素に対して与える輝度値の半分の輝度値に決定し、
前記表示ラインにおける前記端第２種表示画素より内側の各第２種表示画素の二つの緑副画素それぞれに対して前記第２フレーム画素から与える輝度値を、前記所定方法で一つの緑副画素に対して与える輝度値の半分の輝度値に決定する、
制御方法。
【発明の詳細な説明】
【技術分野】
【０００１】
本開示は、表示装置及びその制御方法に関する。
【背景技術】
【０００２】
カラー表示装置の表示領域は、一般に、表示パネルの基板上に配列された赤（Ｒ）、緑（Ｇ）、青（Ｂ）の副画素で構成されている。副画素の様々な配置（画素配置）が提案されおり、例えば、ＲＧＢ  Ｓｔｒａｉｐｅ配置や、デルタナブラ配置（単にデルタ配置とも呼ぶ）が知られている。
【先行技術文献】
【特許文献】
【０００３】
【特許文献１】米国特許出願公開第２０１７／０１７８５５４号
【発明の概要】
【発明が解決しようとする課題】
【０００４】
緑の視感度は赤及び青より高く、リアル解像度表示において、単一画素の視認性が悪い。したがって、単一画素表示から複雑なパターン表示でも使用できる汎用的な点灯パターンが望まれる。
【課題を解決するための手段】
【０００５】
本開示の一態様による表示装置は、表示パネルと、前記表示パネルを制御する制御装置と、を含む。前記表示パネルの表示領域は、第１軸に沿って延びる複数の副画素行で構成される。前記複数の副画素行は、交互に配列された、赤副画素からなる赤副画素行と、青副画素からなる青副画素行と、緑副画素からなる緑副画素行と、で構成される。前記複数の副画素行において、隣接する副画素行は、前記第１軸に沿ってずれている。前記表示領域は、前記第１軸に垂直な第２軸に沿って延びる（２ｎ＋１）個の副画素列で構成され、前記ｎは自然数である。前記複数の副画素列のそれぞれは、交互に配列された、赤副画素、緑副画素及び青副画素で構成されている。前記制御装置は、前記表示領域における第１種表示画素及び第２種表示画素それぞれの輝度データを、映像フレームに含まれるフレーム画素の輝度データから決定する。前記第１種表示画素のそれぞれは、一つの緑副画素と、前記一つの緑副画素を含む緑副画素行に隣接する赤副画素行に含まれ、それぞれ前記一つの緑副画素を含む副画素列に隣接する副画素列に含まれる二つの赤副画素と、前記一つの緑副画素を含む緑副画素行に隣接する青副画素行に含まれ、それぞれ前記一つの緑副画素を含む副画素列に隣接する前記副画素列に含まれる二つの青副画素と、で構成されている。前記第２種表示画素のそれぞれは、一つの緑副画素行において隣接する二つの緑副画素と、前記二つの緑副画素をそれぞれ含む副画素列の間の副画素列及び前記一つの緑副画素行に隣接する赤副画素行に含まれる、赤副画素と、前記二つの緑副画素をそれぞれ含む前記副画素列の間の前記副画素列及び前記一つの緑副画素行に隣接する青副画素行に含まれる、青副画素と、で構成されている。前記表示領域において、前記第１軸に沿って延びる前記第１種表示画素からなる行と前記第２種表示画素からなる行とが、前記第２軸に沿って交互に配列されている。前記第１種表示画素からなる行それぞれにおいて、隣接する第１種表示画素は赤副画素及び青副画素を共有し、緑副画素は各第１種表示画素に占有されている。前記第２種表示画素からなる行それぞれにおいて、隣接する第２種表示画素は緑副画素を共有し、赤副画素及び青副画素は各第２種表示画素に占有されている。前記制御装置は、各第１種表示画素の緑副画素に対して対応する第１フレーム画素から与える輝度値を、前記第１フレーム画素から所定方法で決定し、各第１種表示画素の二つの赤副画素それぞれに対して前記第１フレーム画素から与える輝度値を、前記第１フレーム画素から前記所定方法で一つの赤副画素に対して決定される輝度値よりも低減された輝度値に決定し、各第１種表示画素の二つの青副画素それぞれに対して前記第１フレーム画素から与える輝度値を、前記第１フレーム画素から前記所定方法で一つの青副画素に対して決定される輝度値より低減した輝度値に決定し、各第２種表示画素の赤副画素及び青副画素それぞれに対して対応する第２フレーム画素から与える輝度値を、前記第２フレーム画素から前記所定方法で決定し、各第２種表示画素の二つの緑副画素それぞれに対して前記第２フレーム画素から与える輝度値を、前記第２フレーム画素から前記所定方法で一つの緑副画素に対して決定される輝度値よりも低減された輝度値に決定する。
【発明の効果】
【０００６】
本開示の一態様によれば、デルタナブラ配置の表示装置において画質を向上できる。
【図面の簡単な説明】
【０００７】
【図１】ＯＬＥＤ表示装置の構成例を模式的に示す。
【図２】画素構造の例を示す。
【図３】ドライバＩＣの論理要素を示す。
【図４Ａ】画素回路の例を示す。
【図４Ｂ】画素回路の例を示す。
【図５】デルタナブラパネルにおける画素配置を示す。
【図６】第１種表示画素及び第２種表示画素の２種類の表示画素が定義されている表示領域を示す。
【図７】第１種表示画素の構成を示す。
【図８】第２種表示画素の構成を示す。
【図９】隣接する第１種表示画素からなるペアを示す。
【図１０】隣接する第２種表示画素からなるペアを示す。
【図１１】各第１種表示画素に与えられる輝度値を示す。
【図１２】隣接する第１種表示画素に与えられる輝度値を示す。
【図１３】各第２種表示画素に与えられる輝度値を示す。
【図１４】隣接する第２種表示画素に与えられる輝度値を示す。
【図１５】連続する第１種表示画素からなる表示ラインに与えられる輝度値を示す。
【図１６】連続する第２種表示画素からなる表示ラインに与えられる輝度値を示す。
【図１７】Ｙ軸に沿って延びる表示画素列において連続する第１種表示画素及び第２種表示画素を示す。
【図１８】（１×１）チェッカーボードパターンを示す。
【発明を実施するための形態】
【０００８】
以下、添付図面を参照して本開示の実施形態を説明する。本実施形態は本開示の特徴を実現するための一例に過ぎず、本開示の技術的範囲を限定するものではないことに注意すべきである。各図において共通の構成については同一の参照符号が付されている。
［表示装置の構成］
【０００９】
図１を参照して、本実施形態に係る、表示装置の全体構成を説明する。なお、説明をわかりやすくするため、図示した物の寸法、形状については、誇張して記載している場合もある。以下において、表示装置の例として、ＯＬＥＤ（Ｏｒｇａｎｉｃ  Ｌｉｇｈｔ−Ｅｍｉｔｔｉｎｇ  Ｄｉｏｄｅ）表示装置を説明するが、本開示の特徴は、液晶表示装置やマイクロＬＥＤ表示装置等、ＯＬＥＤ表示装置と異なる任意の種類の表示装置に適用することができる。
【００１０】
図１は、ＯＬＥＤ表示装置１０の構成例を模式的に示す。ＯＬＥＤ表示装置１０は、ＯＬＥＤ表示パネルと制御装置とを含む。ＯＬＥＤ表示パネルは、ＯＬＥＤ素子（発光素子）が形成されるＴＦＴ（Ｔｈｉｎ  Ｆｉｌｍ  Ｔｒａｎｓｉｓｔｏｒ）基板１００と、ＯＬＥＤ素子を封止する封止基板２００と、ＴＦＴ基板１００と封止基板２００とを接合する接合部（ガラスフリットシール部）３００を含む。ＴＦＴ基板１００と封止基板２００との間には、例えば、乾燥空気が封入されており、接合部３００により封止されている。
【００１１】
ＴＦＴ基板１００の表示領域１２５の外側のカソード電極形成領域１１４の周囲に、走査ドライバ１３１、エミッションドライバ１３２、保護回路１３３、及びドライバＩＣ１３４が配置されている。これらは、ＦＰＣ（Ｆｌｅｘｉｂｌｅ  Ｐｒｉｎｔｅｄ  Ｃｉｒｃｕｉｔ）１３５を介して外部の機器と接続される。ドライバＩＣ１３４、走査ドライバ１３１、エミッションドライバ１３２、及び保護回路１３３は、制御装置に含まれる。
【００１２】
走査ドライバ１３１はＴＦＴ基板１００の走査線を駆動する。エミッションドライバ１３２は、例えば、エミッション制御線を駆動して各副画素の発光期間を制御する。保護回路１３３は素子を静電気放電から保護する。ドライバＩＣ１３４は、例えば、異方性導電フィルム（ＡＣＦ：Ａｎｉｓｏｔｒｏｐｉｃ  Ｃｏｎｄｕｃｔｉｖｅ  Ｆｉｌｍ）を用いて実装される。
【００１３】
ドライバＩＣ１３４は、走査ドライバ１３１及びエミッションドライバ１３２に電源及びタイミング信号（制御信号）を与え、さらに、データ線に映像データに対応する信号を与える。すなわち、ドライバＩＣ１３４は、表示制御機能を有する。後述するように、ドライバＩＣ１３４は、映像フレームの画素（フレーム画素）の輝度データを表示パネルの副画素の輝度データに変換する機能を有する。
【００１４】
図１において、左右に延びる軸をＸ軸、上下に延びる軸をＹ軸と呼ぶ。走査線はＸ軸に沿って延びておいる。以下において、便宜的に、表示領域１２５において、Ｘ軸に沿って配列された画素又は副画素を画素又は副画素の行と呼び、Ｙ軸に沿って配列された画素又は副画素を画素列又は副画素の列と呼ぶ。しかし、行及び列の方向は、この例に限定されない。
【００１５】
次に、ＯＬＥＤ表示装置１０の詳細構造について説明する。図２は、ＯＬＥＤ表示装置１０の駆動ＴＦＴを含む部分の断面構造を模式的に示す。ＯＬＥＤ表示装置１０は、ＴＦＴ基板１００と、ＴＦＴ基板１００に対向する封止構造部とを含む。ＴＦＴ基板１００は、絶縁基板１５１を含む。封止構造部の一例は、可撓性又は不撓性の封止基板２００である。封止構造部は、例えば、薄膜封止（ＴＦＥ：Ｔｈｉｎ  Ｆｉｌｍ  Ｅｎｃａｐｓｕｌａｔｉｏｎ）構造であってもよい。
【００１６】
ＯＬＥＤ表示装置１０は、絶縁基板１５１と封止構造部との間に配置された、下部電極（例えば、アノード電極１６２）と、上部電極（例えば、カソード電極１６６）と、複数の有機発光膜１６５とを含む。カソード電極１６６とアノード電極１６２との間に、有機発光膜１６５が配置されている。複数のアノード電極１６２は、同一面上（例えば、平坦化膜１６１の上）に配置され、１つのアノード電極１６２の上に１つの有機発光膜１６５が配置されている。図２の例において、一つの副画素のカソード電極１６６は、連続する導体膜の一部である。
【００１７】
ＯＬＥＤ表示装置１０は、封止構造部に向かって立ち上がる複数のスペーサ（Ｐｏｓｔ  Ｓｐａｃｅｒ：ＰＳ）１６４と、それぞれが複数のスイッチを含む複数の画素回路とを有する。複数の画素回路の各々は、絶縁基板１５１とアノード電極１６２との間に形成され、複数のアノード電極１６２の各々に供給する電流を制御する。
【００１８】
図２は、トップエミッション型（ＯＬＥＤ素子）の画素構造の例である。トップエミッション型の画素構造は、光が出射する側（図面上側）に、複数の画素に共通のカソード電極１６６が配置される。カソード電極１６６は、表示領域１２５の全面を完全に覆う形状を有する。トップエミッション型の画素構造の特徴は、アノード電極１６２は光を反射し、カソード電極１６６は光透過性をもっていることである。これにより、有機発光膜１６５からの光を封止構造部に向けて出射させる構成となっている。
【００１９】
トップエミッション型では、光を絶縁基板１５１側に取り出すボトムエミッション型と比べて、画素回路のレイアウトにおいて高い自由度を有する。例えば、光取出しのための透過領域を画素領域内に設ける必要がないため、発光部を画素回路や配線の上にも形成することができる。なお、ボトムエミッション型の画素構造は、透明アノード電極と反射カソード電極を有し、絶縁基板１５１を介して外部に光を出射する。本開示の特徴は、ボトムエミッション型の画素構造にも適用できる。
【００２０】
副画素は、フルカラーＯＬＥＤ表示装置において一般に、赤、緑、又は青のいずれかの色を表示する。赤、緑、及び青の副画素により一つの主画素が構成される。複数の薄膜トランジスタを含む画素回路は、対応するＯＬＥＤ素子の発光を制御する。ＯＬＥＤ素子は、下部電極であるアノード電極、有機発光層、及び上部電極であるカソード電極で構成される。
【００２１】
絶縁基板１５１は、例えばガラス又は樹脂で形成されており、不撓性又は可撓性基板である。絶縁基板の上には第１絶縁膜１５２を介して、ポリシリコン層が存在し、ポリシリコン層にはＴＦＴのトランジスタ特性をもたらすチャネル１５５が、のちにゲート電極１５７が形成される位置に存在する。その両端には上部の配線層と電気的に接続をとるために高濃度不純物がドープされたソース領域１６８、ドレイン領域１６９が存在する。
【００２２】
チャネル１５５とソース領域１６８、ドレイン領域１６９の間には、低濃度の不純物をドープされたＬＤＤ（Ｌｉｇｈｔｌｙ  Ｄｏｐｅｄ  Ｄｒａｉｎ）を形成する場合もある。なお、ＬＤＤについては、煩雑になるため図示を省略している。ポリシリコン層の上には、ゲート絶縁膜１５６を介して、ゲート電極１５７が形成されている。ゲート電極１５７の層上に層間絶縁膜１５８が形成されている。
【００２３】
表示領域１２５内において、層間絶縁膜１５８上にソース電極１５９、ドレイン電極１６０が形成されている。ソース電極１５９、ドレイン電極１６０は、例えば、高融点金属又はその合金で形成される。ソース電極１５９、ドレイン電極１６０は、層間絶縁膜１５８およびゲート絶縁膜１５６に形成されたコンタクトホール１７０、１７１を介してポリシリコン層のソース領域１６８、ドレイン領域１６９に接続されている。
【００２４】
ソース電極１５９、ドレイン電極１６０の上に、絶縁性の平坦化膜１６１が形成される。絶縁性の平坦化膜１６１の上に、アノード電極１６２が形成されている。アノード電極１６２は、平坦化膜１６１のコンタクトホールに形成されたコンタクト部によってドレイン電極１６０に接続されている。画素回路のＴＦＴは、アノード電極１６２の下側に形成されている。
【００２５】
アノード電極１６２の上に、ＯＬＥＤ素子を分離する絶縁性の画素定義層（Ｐｉｘｅｌ  Ｄｅｆｉｎｉｎｇ  Ｌａｙｅｒ：ＰＤＬ）１６３が形成されている。ＯＬＥＤ素子は、画素定義層１６３の開口１６７に形成されている。絶縁性のスペーサ１６４は、２つのアノード電極１６２の間における、画素定義層１６３の面上に形成され、ＯＬＥＤ素子と封止基板２００との間隔を維持する。
【００２６】
アノード電極１６２の上に、有機発光膜１６５が形成されている。有機発光膜１６５は、画素定義層１６３の開口１６７及びその周囲において、画素定義層１６３に付着している。有機発光膜１６５の上にカソード電極１６６が形成されている。カソード電極１６６は、光透過性を有する電極である。カソード電極１６６は、有機発光膜１６５からの可視光の一部を透過させる。画素定義層１６３の開口１６７に形成された、アノード電極１６２、有機発光膜１６５及びカソード電極１６６の積層膜が、ＯＬＥＤ素子を構成する。なお、カソード電極１６６の上には、不図示のキャップ層が形成されてもよい。
【００２７】
封止基板２００は、透明な絶縁基板であって、例えばガラス基板である。封止基板２００の光出射面（前面）に、λ／４位相差板２０１と偏光板２０２とが配置され、外部から入射した光の反射を抑制する。
【００２８】
［ドライバＩＣの構成］
図３は、ドライバＩＣ１３４の論理要素を示す。ドライバＩＣ１３４は、ガンマ変換部３４１、相対輝度変換部３４２、逆ガンマ変換部３４３、駆動信号生成部３４４、及びデータドライバ３４５を含む。
【００２９】
ドライバＩＣ１３４は、不図示の主制御部から、映像信号及び映像信号用タイミング信号を受信する。映像信号は、連続する映像フレームのデータ（信号）を含む。ガンマ変換部３４１は、入力された映像信号に含まれるＲＧＢ階調値（信号）を、ＲＧＢ相対輝度値に変換する。より具体的には、ガンマ変換部３４１は、各映像フレームの各画素のＲ階調値、Ｇ階調値、Ｂ階調値を、Ｒ相対輝度値、Ｇ相対輝度値、Ｂ相対輝度値（単に輝度値とも呼ぶ）に変換する。画素の相対輝度値は、映像フレーム内で正規化された輝度値である。
【００３０】
相対輝度変換部３４２は、映像フレーム内の各画素のＲ、Ｇ、Ｂ相対輝度値を、ＯＬＥＤ表示パネルの副画素のＲ、Ｇ、Ｂ相対輝度値に変換する。副画素の相対輝度値は、ＯＬＥＤ表示パネルにおいて正規化された副画素の輝度値である。相対輝度変換部３４２は、映像フレーム内の画素のＲ、Ｇ、Ｂ相対輝度値から、後述する表示画素の副画素の相対輝度値を決定する。このように、階調値と輝度値（相対輝度値又は絶対輝度値）とは一対一に対応し、一方は他方を表し、一方を決定することは他方を決定することを意味する。
【００３１】
逆ガンマ変換部３４３は、相対輝度変換部３４２による演算後のＲ副画素、Ｇ副画素、Ｂ副画素の相対輝度値を、Ｒ副画素、Ｇ副画素、Ｂ副画素の階調値に変換する。データドライバ３４５は、Ｒ副画素、Ｇ副画素、Ｂ副画素の階調値に応じた駆動信号を、画素回路に送信する。
【００３２】
駆動信号生成部３４４は、入力された映像信号用タイミング信号を、ＯＬＥＤ表示パネルの表示制御用駆動信号に変換する。映像信号用タイミング信号は、データ転送レートを決定するドットクロック（ピクセルクロック）、水平同期信号、垂直同期信号、データイネーブル信号を含む。
【００３３】
駆動信号生成部３４４は、入力された映像信号用タイミング信号のドットクロック、データイネーブル信号、垂直同期信号、水平同期信号から、デルタナブラパネルのソースドライバ３５５、走査ドライバ１３１、及びエミッションドライバ１３２の制御信号（又は、パネルの駆動信号）を生成し、それらに出力する。
【００３４】
［画素回路］
基板１００上には、複数の副画素のアノード電極にそれぞれ供給する電流を制御する複数の画素回路が形成されている。図４Ａは、画素回路の構成例を示す。各画素回路は、駆動トランジスタＴ１と、選択トランジスタＴ２と、エミッショントランジスタＴ３と、保持容量Ｃ１とを含む。画素回路は、ＯＬＥＤ素子Ｅ１の発光を制御する。トランジスタは、ＴＦＴである。
【００３５】
選択トランジスタＴ２は副画素を選択するスイッチである。選択トランジスタＴ２はｐチャネル型ＴＦＴであり、ゲート端子は、走査線１０６に接続されている。ソース端子は、データ線１０５に接続されている。ドレイン端子は、駆動トランジスタＴ１のゲート端子に接続されている。
【００３６】
駆動トランジスタＴ１はＯＬＥＤ素子Ｅ１の駆動用のトランジスタ（駆動ＴＦＴ）である。駆動トランジスタＴ１はｐチャネル型ＴＦＴであり、そのゲート端子は選択トランジスタＴ２のドレイン端子に接続されている。駆動トランジスタＴ１のソース端子は電源線１０８（Ｖｄｄ）に接続されている。ドレイン端子は、エミッショントランジスタＴ３のソース端子に接続されている。駆動トランジスタＴ１のゲート端子とソース端子との間に保持容量Ｃ１が形成されている。
【００３７】
エミッショントランジスタＴ３は、ＯＬＥＤ素子Ｅ１への駆動電流の供給と停止を制御するスイッチである。エミッショントランジスタＴ３はｐチャネル型ＴＦＴであり、ゲート端子はエミッション制御線１０７に接続されている。エミッショントランジスタＴ３のソース端子は駆動トランジスタＴ１のドレイン端子に接続されている。エミッショントランジスタＴ３のドレイン端子は、ＯＬＥＤ素子Ｅ１に接続されている。
【００３８】
次に、画素回路の動作を説明する。走査ドライバ１３１が走査線１０６に選択パルスを出力し、選択トランジスタＴ２をオン状態にする。データ線１０５を介してドライバＩＣ１３４から供給されたデータ電圧は、保持容量Ｃ１に格納される。保持容量Ｃ１は、格納された電圧を、１フレーム期間を通じて保持する。保持電圧によって、駆動トランジスタＴ１のコンダクタンスがアナログ的に変化し、駆動トランジスタＴ１は、発光階調に対応した順バイアス電流をＯＬＥＤ素子Ｅ１に供給する。
【００３９】
エミッショントランジスタＴ３は、駆動電流の供給経路上に位置する。エミッションドライバ１３２は、エミッション制御線１０７に制御信号を出力して、エミッショントランジスタＴ３のオンオフを制御する。エミッショントランジスタＴ３がオン状態のとき、駆動電流がＯＬＥＤ素子Ｅ１に供給される。エミッショントランジスタＴ３がオフ状態のとき、この供給が停止される。エミッショントランジスタＴ３のオンオフを制御することにより、１フィールド周期内の点灯期間（デューティ比）を制御することができる。
【００４０】
図４Ｂは、画素回路の他の構成例を示す。当該画素回路は、図４ＡのエミッショントランジスタＴ３に代えて、リセットトランジスタＴ４を有する。リセットトランジスタＴ４は、基準電圧供給線１１０とＯＬＥＤ素子Ｅ１のアノードとの電気的接続を制御する。エミッションドライバ１３２がリセットトランジスタＴ４のゲートにリセット制御線１０９からリセット制御信号が供給することで、この制御が行われる。
【００４１】
リセットトランジスタＴ４は、様々な目的で使用することができる。リセットトランジスタＴ４は、例えば、ＯＬＥＤ素子Ｅ１間のリーク電流によるクロストークを抑制するために、一旦、ＯＬＥＤ素子Ｅ１のアノードを黒信号レベル以下の十分低い電圧にリセットする目的で使用してもよい。
【００４２】
他にも、リセットトランジスタＴ４は、駆動トランジスタＴ１の特性を測定する目的で使用してもよい。例えば、駆動トランジスタＴ１を飽和領域、リセットトランジスタＴ４を線形領域で動作するようにバイアス条件を選んで、電源線１０８（Ｖｄｄ）から基準電圧供給線１１０（Ｖｒｅｆ）に流れる電流を測定すれば、駆動トランジスタＴ１の電圧・電流変換特性を正確に測定することができる。副画素間の駆動トランジスタＴ１の電圧・電流変換特性の違いを補償するデータ信号を外部回路で生成すれば、均一性の高い表示画像を実現できる。
【００４３】
一方、駆動トランジスタＴ１をオフ状態にしてリセットトランジスタＴ４を線形領域で動作させ、ＯＬＥＤ素子Ｅ１を発光させる電圧を基準電圧供給線１１０から印加すれば、ＯＬＥＤ素子Ｅ１の電圧・電流特性を正確に測定することができる。例えば、長時間の使用によってＯＬＥＤ素子Ｅ１が劣化した場合にも、その劣化量を補償するデータ信号を外部回路で生成すれば、長寿命化を実現できる。
【００４４】
図４Ａ及び４Ｂの画素回路は例であって、画素回路は他の回路構成を有してよい。図４Ａ及び４Ｂの画素回路はｐチャネル型ＴＦＴを使用しているが、画素回路はｎチャネル型ＴＦＴを使用してもよい。
【００４５】
［デルタナブラパネルにおける画素配置］
図５は、デルタナブラパネルにおける画素配置を示す。図５は、表示領域１２５の全域を模式的に示す。表示領域１２５は、面内に配置されている、複数の赤副画素４１Ｒ、複数の緑副画素４１Ｇ、及び複数の青副画素４１Ｂで構成されている。図４において、一つの赤副画素、一つの緑副画素、及び一つの青副画素が、例として、符号で指示されている。図４において、同一のハッチングの（丸い角の）四角は、同一色の副画素を示す。図４において、副画素の形状は四角であるが、副画素の形状は任意であって、例えば、六角形又は八角形であってもよい。
【００４６】
表示領域１２５は、Ｘ軸（第１軸）に沿って延び、Ｙ軸（第２軸）に沿って配列されている、複数の副画素行で構成されている。図５において、例として、一つの赤の副画素行が符号４３Ｒで指示され、一つの緑の副画素行が符号４３Ｇで指示され、一つの青の副画素行が符号４３Ｂで指示されている。
【００４７】
Ｘ軸とＹ軸とは副画素が配置されている面内において垂直である。ここで、Ｘ方向は、Ｘ軸に沿った２方向において、図５において左から右に向かう方向である。Ｙ方向は、Ｙ軸に沿った２方向において、上から下に向かう方向である。
【００４８】
図５の例において、各副画素行は、所定ピッチで配列されている同一色の副画素で構成されている。具体的には、副画素行４３Ｒ、４３Ｇ及び４３Ｂは、それぞれ、Ｘ軸に沿って配列されている赤副画素４１Ｒ、緑副画素４１Ｇ及青副画素４１Ｂで構成されている。Ｙ軸に沿って、赤副画素行４３Ｒ、緑副画素行４３Ｇ及び青副画素行４３Ｂは、交互に配列されている。
【００４９】
つまり、副画素行は、他の２色の副画素行に挟まれている。例えば、緑副画素行４３Ｇは、赤副画素行４３Ｒと青副画素行４３Ｂとの間に配置されている。図５の例において、赤副画素行４３Ｒ、緑副画素行４３Ｇ及び青副画素行４３Ｂは、この順で交互に配列されている。交互に配列される色の順序はこれと異なっていてもよい。
【００５０】
隣接する副画素行は、Ｘ軸に沿ってずれて配置されている。つまり、各副画素行の各副画素は、Ｘ軸に沿って、隣接する副画素行の隣接する二つの副画素の間に位置する。図５の例において、隣接する副画素行は半ピッチずれている。１ピッチは、副画素行において隣接する副画素の間の距離である。第1の副画素行に含まれる副画素は、第1の副画素行に隣接する副画素行に含まれる隣接する二つの副画素の中央に位置する。
【００５１】
表示領域１２５は、Ｙ軸に沿って延び、Ｘ軸に沿って配列されている、複数の副画素列で構成されている。具体的には、表示領域１２５は、（２ｎ＋１）の副画素列で構成されている。ｎは自然数である。図５において、三つの副画素列が、例として、符号４２Ａ、４２Ｂ及び４２Ｃで指示されている。副画素列は、Ｙ軸に沿って配列されている副画素で構成されている。
【００５２】
副画素列は、所定ピッチで交互に配列された赤副画素４１Ｒ、緑副画素４１Ｇ及び青副画素４１Ｂで構成されている。図５の例において、赤副画素４１Ｒ、青副画素４１Ｂ、及び緑副画素４１Ｇは、この順でＹ方向（図５における上から下への方向）に配列されている。色の順序はこれと異なってもよい。
【００５３】
隣接する副画素列の位置は、Ｙ軸に沿ってずれており、第1の副画素列に含まれる副画素は、第1の副画素列に隣接する副画素列に含まれる他の二色の副画素の間にある。図５の例において、隣接する副画素列は半ピッチずれている。１ピッチは、同一色の副画素の間のＹ軸に沿った距離である。例えば、緑副画素４１Ｇは、Ｙ軸に沿って、隣接副画素列における赤副画素４１Ｒと青副画素４１Ｂの中央に位置している。
【００５４】
なお、本実施形態においては、便宜的に、Ｘ軸に沿って延びる副画素ラインを副画素行、Ｙ軸に沿って延びる副画素ラインを副画素列と呼ぶが、副画素行及び副画素列の方向は、これに限定されない。
【００５５】
上述のように、表示領域１２５は、（２ｎ＋１）の副画素列で構成されており、Ｘ軸に沿って対称（左右対称）である。従来のデルタナブラ配置の表示領域は、２ｎの副画素列で構成されている。つまり、従来の表示領域は、図５に示す表示領域１２５から、端の副画素列４２Ｃを除いた構成を有している。
【００５６】
また、図５に示すように、２ｎの副画素列で構成される表示領域は、マトリックス状に配置されている、第１種パネル画素５１及び第２種パネル画素５２の、２種類のパネル画素で構成される。パネル画素５１及び５２は、リアル解像度での表示における映像フレームの一画素に対応する。
【００５７】
図５において、一つの第１種パネル画素が、例として、符号５１で指示されている。また、一つの第２種パネル画素が、例として、符号５２で指示されている。図５において、いくつかの第１種パネル画素５１が、一つの頂点が右側にあり、二つの頂点が左側にある三角形で示されている。また、いくつかの第２種パネル画素５２が、一つの頂点が左側にあり、二つの頂点が右側にある三角形で示されている。
【００５８】
第１種パネル画素５１及び第２種パネル画素５２は、それぞれ、一つ緑副画素４１Ｇと、当該緑副画素４１Ｇに隣接する副画素列４２において、当該緑副画素４１Ｇに隣接する赤副画素４１Ｒ及び青副画素４１Ｂで構成されている。赤副画素４１Ｒ及び青副画素４１Ｂは隣接しており、緑副画素４１Ｇは、Ｙ軸に沿って、赤副画素４１Ｒ及び青副画素４１Ｂの間に位置する。
【００５９】
リアル解像度表示において、単一の第１種パネル画素５１又は単一の第２種パネル画素５２が表示されることがある。第１種パネル画素５１及び第２種パネル画素５２の重心は、緑副画素４１Ｇの重心と大きくずれている。具体的には、第１種パネル画素５１の重心は、その緑副画素４１Ｇの重心よりも左側に位置する。第２種パネル画素５２の重心は、その緑副画素４１Ｇの重心よりも右側に位置する。
【００６０】
赤副画素４１Ｒ、緑副画素４１Ｇ、及び青副画素４１Ｂにおいて、緑副画素４１Ｇの比視感度が最も高く、青副画素４１Ｂの比視感度が最も低い。緑副画素４１Ｇの重心が、第１種パネル画素５１の重心及び第２種パネル画素５２の重心が大きくずれている場合、緑副画素４１Ｇが他の副画素よりも視認されやすい。
【００６１】
そのため、赤、緑及び青が適切に混色されず、パネル画素が意図した色と異なる色に見える。例えば、白を意図した単一の第１種パネル画素５１において、輝度中心が右により、右側の緑が目立つ。白を意図した単一の第２種パネル画素５２において、輝度中心が左により、左側の緑が目立つ。
【００６２】
本開示の、ＯＬＥＤ表示装置１０は、２種類の表示画素を定義し、表示画素毎に輝度（表示画素を構成する副画素の輝度）を決定する。２種類の表示画素の輝度中心は、それらの重心と近い位置にある又は一致し、単独の表示画素が意図された色を適切に表示することができる。
【００６３】
図６は、第１種表示画素５５及び第２種表示画素５６の２種類の表示画素が定義されている表示領域１２５を示す。図６において、一つの第１種表示画素が符号５５で指示され、一つの第２種表示画素が符号５６で指示されている。表示領域１２５は、マトリックス状に配置された第１種表示画素５５及び第２種表示画素５６で構成されている。
【００６４】
図７及び８は、第１種表示画素５５及び第２種表示画素５６の構成を示す。図７に示すように、第１種表示画素５５は、隣接する複数の副画素で構成されている。具体的には、第１種表示画素５５は、二つの赤副画素４１Ｒ１、４１Ｒ２、二つの青副画素４１Ｂ１、４１Ｂ２、及び一つの緑副画素４１Ｇで構成されている。図の例において、第１種表示画素５５の重心及び中央の緑副画素４１Ｇの重心は共に位置Ｃであり、一致している。
【００６５】
中央の緑副画素４１Ｇは、他の副画素４１Ｒ１、４１Ｒ２、４１Ｂ１、４１Ｂ２に囲まれている。赤副画素４１Ｒ１、４１Ｒ２は、緑副画素４１Ｇを含む緑副画素行４３Ｇに隣接する赤副画素行４３Ｒに含まれ、これらは赤副画素行４３Ｒにおいて隣接している。緑副画素４１Ｇは、Ｘ軸に沿って、赤副画素４１Ｒ１、４１Ｒ２の間、本例において中央に位置する。
【００６６】
青副画素４１Ｂ１、４１Ｂ２は、緑副画素４１Ｇを含む緑副画素行４３Ｇに隣接する青副画素行４３Ｂに含まれ、これらは青副画素行４３Ｂにおいて隣接している。緑副画素４１Ｇは、Ｘ軸に沿って、青副画素４１Ｂ１、４１Ｂ２の間、本例において中央に位置する。
【００６７】
赤副画素４１Ｒ１及び青副画素４１Ｂ１は、緑副画素４１Ｇを含む副画素列４２Ｆに隣接する副画素列４２Ｅに含まれており、これらはその副画素列４２Ｅにおいて隣接している。緑副画素４１Ｇは、Ｙ軸に沿って、赤副画素４１Ｒ１及び青副画素４１Ｂ１の間、本例において中央に位置する。
【００６８】
赤副画素４１Ｒ２及び青副画素４１Ｂ２は、緑副画素４１Ｇを含む副画素列４２Ｆに隣接する副画素列４２Ｇに含まれており、これらはその副画素列４２Ｇにおいて隣接している。緑副画素４１Ｇは、Ｙ軸に沿って、赤副画素４１Ｒ２及び青副画素４１Ｂ２の間、本例において中央に位置する。
【００６９】
図８に示すように、第２種表示画素５６は、隣接する複数の副画素で構成されている。具体的には、第２種表示画素５６は、一つ赤副画素４１Ｒ、一つの青副画素４１Ｂ、及び二つの緑副画素４１Ｇ１、４１Ｇ２で構成されている。図の例において、第２種表示画素５６の重心及び二つの緑副画素４１Ｇ１、４１Ｇ２の重心は共に位置Ｃであり、一致している。
【００７０】
二つの緑副画素４１Ｇ１、４１Ｇ２は、緑副画素行４３Ｇに含まれ、それらは、緑副画素行４３Ｇにおいて隣接している。緑副画素４１Ｇ１は副画素列４２Ｋに含まれ、緑副画素４１Ｇ２は副画素列４２Ｍに含まれている。
【００７１】
赤副画素４１Ｒ及び青副画素４１Ｂは、副画素列４２Ｌに含まれ、それらは副画素列４２Ｌにおいて隣接している。副画素列４２Ｌは、副画素列４２Ｋ及び４２Ｍの間にあり、それらに隣接している。緑副画素４１Ｇ１、４１Ｇ２は、それぞれ、Ｙ軸に沿って赤副画素４１Ｒ及び青副画素４１Ｂの間、本例において中央に位置する。
【００７２】
赤副画素４１Ｒは、緑副画素行４３Ｇに隣接する赤副画素行４３Ｒに含まれる。青副画素４１Ｂは、緑副画素行４３Ｇに隣接する青副画素行４３Ｂに含まれる。赤副画素４１Ｒ及び青副画素行４３Ｂは、それぞれ、Ｘ軸に沿って、緑副画素４１Ｇ１、４１Ｇ２の間、本例において中央に位置する。
【００７３】
図７に示す構成は、第１種表示画素５５の重心及び中央の緑副画素４１Ｇの重心を、三つの副画素から構成されたパネル画素と比較して近づけることができ、上記例においてそれらは一致している。また、図８に示す構成は、第２種表示画素５６の重心及び二つの緑副画素４１Ｇ１、４１Ｇ２の重心を、三つの副画素から構成されたパネル画素と比較して近づけることができ、上記例においてそれらは一致している。
【００７４】
このため、第１種表示画素５５の輝度中心は第１種表示画素５５の重心と近い又は一致し、単独の第１種表示画素５５が適切な色を表示することができる。同様に、第２種表示画素５６の輝度中心は第２種表示画素５６の重心と近い又は一致し、単独の第２種表示画素５６が適切な色を表示することができる。
【００７５】
図６に戻って、表示領域１２５は、Ｙ軸に沿って交互に配列された、第１種表示画素行６５と第２種表示画素行６６とで構成されている。図６において、一つの第１種表示画素行が、例として、符号６５で指示され、一つの第２種表示画素行が、例として、符号６６で指示されている。第１種表示画素行６５は、Ｘ軸に沿って配列された第１種表示画素５５で構成されている。第２種表示画素行６６は、Ｘ軸に沿って配列された第２種表示画素５６で構成されている。
【００７６】
表示領域１２５は、Ｘ軸に沿って配列された、表示画素列で構成されている。図６において、四つの表示画素列が、例として、それぞれ符号６１Ａ、６１Ｂ、６１Ｃ、６１Ｄで指示されている。表示領域１２５は、左端の表示画素列６１Ａ、右端の表示画素列６１Ｄ及びそれらに挟まれている複数の表示画素列で構成されている。各表示画素列は、交互に配列されている第１種表示画素５５及び第２種表示画素行６６で構成されている。
【００７７】
表示画素列６１Ｂ及び６１Ｃは隣接してより、それらは一部の副画素を共有している。つまり、第１種表示画素行６５において隣接する第１種表示画素５５は２つの副画素を共有し、第２種表示画素行６６において隣接する第２種表示画素５６は一つの副画素を共有している。
【００７８】
図９及び１０は、それぞれ、隣接する第１種表示画素からなるペア及び隣接する第２種表示画素からなるペアを示す。図９に示すように、隣接する第１種表示画素５５Ａ及び５５Ｂは、一つの赤副画素４１Ｒ２／４１Ｒ１及び一つの青副画素４１Ｂ２／４１Ｂ１を共有している。つまり、赤副画素４１Ｒ２／４１Ｒ１及び一つの青副画素４１Ｂ２／４１Ｂ１は、第１種表示画素５５Ａ及び５５Ｂに属している。
【００７９】
第１種表示画素５５Ａの赤副画素４１Ｒ１及び青副画素４１Ｂ１も、第１種表示画素５５Ａの左側の第１種表示画素（不図示）と共有される。同様に、第１種表示画素５５Ｂの赤副画素４１Ｒ２及び青副画素４１Ｂ２も、第１種表示画素５５Ｂの右側の第１種表示画素（不図示）と共有される。このように、第１種表示画素行６５において、左右両端の赤副画素及び青副画素を除き、赤副画素及び青副画素は隣接する二つの第１種表示画素に共有されている。一方、緑副画素４１Ｇは、第１種表示画素５５Ａ又は５５Ｂに占有されており、一つの第１種表示画素のみに属している。
【００８０】
図１０に示すように、隣接する第２種表示画素５６Ａ及び５６Ｂは、一つの緑副画素４１Ｇ２／４１Ｇ１を共有している。つまり、緑副画素４１Ｇ２／４１Ｇ１は、第２種表示画素５６Ａ及び５６Ｂに属している。
【００８１】
第２種表示画素５６Ａの緑副画素４１Ｇ１も、第２種表示画素５６Ａの左側の第２種表示画素（不図示）と共有される。同様に、第２種表示画素５６Ｂの緑副画素４１Ｇ２も、第２種表示画素５６Ｂの右側の第２種表示画素（不図示）と共有される。このように、第２種表示画素行６６において、左右両端の緑副画素を除き、緑副画素は隣接する二つの第２種表示画素に共有されている。一方、赤副画素４１Ｒ及び青副画素４１Ｂは、第２種表示画素５６Ａ又は５６Ｂに占有されており、一つの第２種表示画素のみに属している。
【００８２】
［副画素の輝度データの生成］
隣接する第１種表示画素５５のペア及び隣接する第２種表示画素５６のペアが、それぞれ、上述のように副画素を共有することで、複数の表示画素からなる画像を適切に表示することができる。
【００８３】
以下において、副画素の輝度値を決定する方法を説明する。ドライバＩＣ１３４は、映像フレームの画像データから表示パネルの輝度データを生成する。輝度データは、表示パネルの副画素それぞれの輝度値（相対輝度値又は絶対輝度値）を示す。
【００８４】
ドライバＩＣ１３４は、映像フレームの各画素（フレーム画素とも呼ぶ）の輝度データから、第１種表示画素５５又は第２種表示画素５６の輝度データを生成する。以下に説明する例において、映像フレームの画素の数と、表示パネルの表示画素の数とは一致している。
【００８５】
表示画素の輝度データは、表示画素を構成する副画素それぞれの輝度値を示す。さらに。ドライバＩＣ１３４は、二つの表示画素に共有されている副画素の輝度値を、二つの表示画素の輝度データがそれぞれ示す副画素の輝度値に基づき決定する。
【００８６】
図１１は、各第１種表示画素５５に与えられる輝度値を示す。ドライバＩＣ１３４は、対応するフレーム画素の輝度データから、第１種表示画素５５の輝度データを決定する。図１１の副画素それぞれの内部の数字は、フレーム画素が示す赤、緑及び青の輝度値に対する割合を示す。
【００８７】
図１１の例において、ドライバＩＣ１３４は、第１種表示画素５５の中央の緑副画素４１Ｇに対して、フレーム画素の輝度データから所定方法で決まる緑の輝度値（１００％）を与える。なお、フレーム画素の輝度データから所定方法で決まる輝度値とは、フレーム画素の輝度データに基づき（又は、輝度データを参照して）所定の方法で決まる輝度値という意味である。ドライバＩＣ１３４は、赤副画素４１Ｒ１及び４１Ｒ２それぞれに対して、フレーム画素の輝度データから所定方法で決まる赤の輝度値の半分（５０％）を与える。さらに、ドライバＩＣ１３４は、青副画素４１Ｂ１及び４１Ｂ２それぞれに対して、フレーム画素の輝度データから所定方法で決まる青の輝度値の半分（５０％）を与える。
【００８８】
赤副画素４１Ｒ１及び４１Ｒ２の輝度値の割合の合計は、１００％である。また、青副画素４１Ｂ１及び４１Ｂ２の輝度値の割合の合計は、１００％である。全ての色の割合が１００％であり、単独の第１種表示画素５５が、表示画素所望の色を表示できる。
【００８９】
図１２は、隣接する第１種表示画素５５Ａ及び５５Ｂに与えられる輝度値を示す。第１種表示画素５５Ａの左側の第１種表示画素及び第１種表示画素５５Ｂの右側の第１種表示画素は、非点灯（輝度値０）であるとする。ドライバＩＣ１３４は、図１１を参照して説明したように、第１種表示画素５５Ａ及び５５Ｂの輝度データを、それぞれ対応するフレーム画素の輝度データから決定する。
【００９０】
ドライバＩＣ１３４は、共有されている副画素４１Ｒ２／４１Ｒ１に対して、第１種表示画素５５Ａ及び５５Ｂにおける赤副画素４１Ｒ２／４１Ｒ１の輝度値の和を与える。ドライバＩＣ１３４は、共有されている青副画素４１Ｂ２／４１Ｂ１に対して、第１種表示画素５５Ａ及び５５Ｂにおける青副画素４１Ｂ２／４１Ｂ１の輝度値の和を与える。他の副画素に対しては、それぞれ属する第１種表示画素において決まる輝度値が与えられる。
【００９１】
図１３は、各第２種表示画素５６に与えられる輝度値を示す。ドライバＩＣ１３４は、対応するフレーム画素の輝度データから、第２種表示画素５６の輝度データを決定する。図１３の副画素それぞれの内部の数字は、フレーム画素が示す赤、緑及び青の輝度値に対する割合を示す。
【００９２】
図１３の例において、ドライバＩＣ１３４は、第２種表示画素５６の赤副画素４１Ｒに対して、フレーム画素の輝度データから所定方法で決まる赤の輝度値（１００％）を与える。ドライバＩＣ１３４は、第２種表示画素５６の青副画素４１Ｂに対して、フレーム画素の輝度データから所定方法で決まる青の輝度値（１００％）を与える。
【００９３】
ドライバＩＣ１３４は、緑副画素４１Ｇ１及び４１Ｇ２それぞれに対して、フレーム画素の輝度データから所定方法で決まる緑の輝度値の半分（５０％）を与える。緑副画素４１Ｇ１及び４１Ｇ２の輝度値の割合の合計は、１００％である。全ての色の割合が１００％であり、単独の第２種表示画素５６が、表示画素所望の色を表示できる。
【００９４】
図１４は、隣接する第２種表示画素５６Ａ及び５６Ｂに与えられる輝度値を示す。第２種表示画素５６Ａの左側の第２種表示画素及び第２種表示画素５６Ｂの右側の第２種表示画素は、非点灯（輝度値０）であるとする。
【００９５】
ドライバＩＣ１３４は、図１３を参照して説明したように、第２種表示画素５６Ａ及び５６Ｂの輝度データを、それぞれ対応するフレーム画素の輝度データから決定する。ドライバＩＣ１３４は、共有されている副画素４１Ｇ２／４１Ｇ１に対して、第２種表示画素５６Ａ及び５６Ｂにおける緑副画素４１Ｇ２／４１Ｇ１の輝度値の和を与える。他の副画素に対しては、それぞれ属する第２種表示画素において決まる輝度値が与えられる。
【００９６】
複数の第２種表示画素５６からなる表示ラインの両端の緑副画素４１Ｇに対して対応する第２種表示画素から与える輝度値割合を、内側の緑副画素４１Ｇに対して対応する第２種表示画素から与える輝度値割合より小さくしてもよい（低減率が大きい）。表示ラインは、連続する点灯した表示画素で構成される。表示画素の輝度値は、それを構成する副画素の輝度値から決定される。表示ライン端の緑副画素４１は視認されやすく、表示ライン端が意図した色と異なる色とユーザに視認されやすいからである。
【００９７】
例えば、図１４の例において、両端の緑副画素４１Ｇ１及び４１Ｇ２には、それぞれ、単一表示画素内で与えられる５０％の輝度値割合が与えられている。ドライバＩＣ１３４は、これより小さい輝度値割合、例えば、２５％を両端の緑副画素４１Ｇ１及び４１Ｇ２に与える。
【００９８】
輝度値を低下させる表示ライン端の緑副画素４１Ｇの特定方法は、設計により決定される。例えば、第２種表示画素５６の対象の緑副画素４１Ｇを共有している第２種表示画素５６が消灯（又は輝度値が所定値より小さい）しており、反対側の隣接第２種表示画素５６が点灯（又は輝度値が所定値より大きい）しており、さらに、対象の緑副画素４１Ｇと同一副画素列で隣接する赤副画素４１Ｒ及び青副画素４１Ｂが消灯（又は輝度値が所定値より小さい）場合、対象の緑副画素４１Ｇに与える輝度値割合が、より小さくされる。
【００９９】
図１５は、連続する第１種表示画素５５Ａ、５５Ｂ及び５５Ｃからなる表示ラインに与えられる輝度値を示す。連続する第１種表示画素５５Ａ、５５Ｂ及び５５Ｃは、三つのフレーム画素の表示ラインである。輝度値の割り当て方法は、図１２を参照して説明した隣接する第１種表示画素に対する割り当て方法と同様である。両端の二つの赤副画素及び二つの青副画素の輝度値割合は５０％であり、他の副画素の輝度値割合は１００％である。ライン幅は、三つの副画素からなる画素５１（図５参照）のライン幅と同一である。
【０１００】
図１６は、連続する第２種表示画素５６Ａ、５６Ｂ及び５６Ｃからなる表示ラインに与えられる輝度値を示す。連続する第２種表示画素５６Ａ、５６Ｂ及び５６Ｃは、三つのフレーム画素の表示ラインである。輝度値の割り当て方法は、図１４を参照して説明した隣接する第２種表示画素に対する割り当て方法と同様である。両端の緑副画素の輝度値割合は５０％であり、他の副画素の輝度値割合は１００％である。ライン幅は、三つの副画素からなる画素５２（図５参照）のライン幅と同一である。
【０１０１】
図１７は、Ｙ軸に沿って延びる表示画素列において連続する第１種表示画素５５Ａ、第２種表示画素５６Ａ、第１種表示画素５５Ｂ、第２種表示画素５６Ｂを示す。これら連続表示画素は、四つのフレーム画素の表示ラインである。第１種表示画素５５Ａ、第２種表示画素５６Ａ、第１種表示画素５５Ｂ、第２種表示画素５６Ｂないで、共有される副画素は存在しない。
【０１０２】
各表示画素において決定される輝度値が、副画素それぞれに割り当てられる。表示画素列は、三列の副画素列で構成されている。中央の副画素列の副画素の輝度値割合は１００％であり、両側の副画素列の副画素の輝度値割合は５０％である。ライン幅は、三つの副画素からなる画素５１及び５２のライン幅よりも太い。しかし、表示画素５５及び５６からなるラインは、上述のように中央の副画素列が明るく両側の副画素列が暗いため、画素５１及び５２に近いライン幅をユーザに視認させることができる。
【０１０３】
図１８は、（１×１）チェッカーボードパターンを示す。図１８のチェッカーボードパターンは、第１種表示画素５５Ａ〜５５Ｆ及び第２種表示画素５６Ａ、５６Ｂで構成されている。チェッカーボードパターンを表示するいずれの表示画素も、副画素を共有していない。図１８に示す表示画素によるチェッカーボードパターンにおける画素の輝度中心の分布及び総輝度は、正確に映像フレームのデータを反映している。
【０１０４】
上述のように、マトリックス状に配置された２種類の表示画素５５及び５６により表示領域１２５を構成することで、デルタナブラ画素配置のリアル解像度表示において、単一画素表示の品質を向上することができる。また、上述のように副画素の輝度値を決定することで、一画素表示から複雑なパターン表示でも適切に表示することができる。例えば、図１５〜１８を参照して説明したように、正しい輝度のライン及びスペースの表示が可能であり、チェッカーボード等の複雑なパターンでも、画素の輝度中心位置分布と総輝度を正しく表示することができる。
【０１０５】
ドライバＩＣ１３４は、上記例と異なる方法によって、第１種表示画素５５及び第２種表示画素５６において副画素それぞれに与える輝度値を決定してもよい。例えば、各副画素に与えられる輝度値は、フレーム画素の輝度データから決まる輝度値の所定割合とは異なる計算式で決定されてもよい。いずれの計算方法であっても、隣接する表示画素と共有される副画素に与えられる輝度値は、フレーム画素の輝度データから決まる輝度値よりも小さい。ただし、フレーム画素の輝度データから決まる輝度値が０である場合、表示画素の副画素の輝度値も０である。
【０１０６】
第１種表示画素５５において、二つの赤副画素４１Ｒ１及び４１Ｒ２に与える輝度値の割合が異なっていてもよく、二つの青副画素４１Ｂ１及び４１Ｂ２に与える輝度値の割合が異なっていてもよい。共有される赤副画素４１Ｒ２／４１Ｒ１及び青副画素４１Ｂ２／４１Ｂ１の輝度値割合は、二つの第１種表示画素５５Ａ及び５５Ｂの輝度値割合に基づき、それらの和と異なる方法により計算されてもよい。
【０１０７】
第２種表示画素５６において、二つの緑副画素４１Ｇ１及び４１Ｇ２に与える輝度値の割合が異なっていてもよい。共有される緑副画素４１Ｇ２／４１Ｇ１の輝度値割合は、二つの第２種表示画素５６Ａ及び５６Ｂの輝度値割合に基づき、それらの和と異なる方法により計算されてもよい。
【０１０８】
以上、本発明の実施形態を説明したが、本発明が上記の実施形態に限定されるものではない。当業者であれば、上記の実施形態の各要素を、本発明の範囲において容易に変更、追加、変換することが可能である。ある実施形態の構成の一部を他の実施形態の構成に置き換えることが可能であり、ある実施形態の構成に他の実施形態の構成を加えることも可能である。
【符号の説明】
【０１０９】
１０  ＯＬＥＤ表示装置、４１Ｂ  青副画素、４１Ｇ  緑副画素、４１Ｒ  赤副画素、４１Ｒ２／４１Ｒ１  共有された赤副画素、４１Ｂ２／４１Ｂ１  共有された青副画素、４１Ｇ２／４１Ｇ１  共有された緑副画素、４２Ａ−４２Ｃ  副画素列、４３Ｒ  赤副画素行、４３Ｇ  緑副画素行、４３Ｂ  青副画素行、５１  第１種パネル画素、５２  第２種パネル画素、５５  第１種表示画素、５６  第２種表示画素、６１Ａ−６１Ｄ  表示画素列、６５  第１種表示画素行、６６  第２種表示画素行、１００  ＴＦＴ基板、１１４  カソード電極形成領域、１２５  表示領域、１３１  走査ドライバ、１３２  エミッションドライバ、１３３  保護回路、１５１  絶縁基板、３４１  ガンマ変換部、３４２  相対輝度変換部、３４３  逆ガンマ変換部、３４４  駆動信号生成部、３４５  データドライバ、３５５  ソースドライバ
【図１】
2020038314.tif 000003
【図２】
2020038314.tif 000004
【図３】
2020038314.tif 000005
【図４Ａ】
2020038314.tif 000006
【図４Ｂ】
2020038314.tif 000007
【図５】
2020038314.tif 000008
【図６】
2020038314.tif 000009
【図７】
2020038314.tif 000010
【図８】
2020038314.tif 000011
【図９】
2020038314.tif 000012
【図１０】
2020038314.tif 000013
【図１１】
2020038314.tif 000014
【図１２】
2020038314.tif 000015
【図１３】
2020038314.tif 000016
【図１４】
2020038314.tif 000017
【図１５】
2020038314.tif 000018
【図１６】
2020038314.tif 000019
【図１７】
2020038314.tif 000020
【図１８】
2020038314.tif 000021